(57)【要約】【課題】  妊婦の下腹部を支えることで猫背を抑制し腰痛を軽減することができる妊婦用腹帯を提供する。【解決手段】  板状腰サポーター４は妊婦５の下背部に当てられる。帯状サポーター２は、一端が板状腰サポーター４に連結され他端が板状腰サポーター４から延び、妊婦５の腰部を囲んで他端同士が相互に着脱可能に連結する二つのベルトからなる。帯状サポーター２は妊婦５の下腹部５０の支える第一支持力を提供する。肩ベルト３は、妊婦５の肩部に掛けられた状態で一端が脇下を通し帯状サポーター２に着脱可能に連結し、他端が脇下を通し板状腰サポーター４に着脱可能に連結する。肩ベルト３は、帯状サポーター２の下腹部の支持力を増強する第二支持力を提供する。これによれば、妊婦の下腹部５０を支えることで猫背を抑制し、妊婦の腰痛および不快感を緩和することができる。【選択図】  図５
0003171923.tif 000002
【実用新案登録請求の範囲】
【請求項１】
布生地で覆われた基板と、複数の支持片を収納できるように前記基板の外側面に配置された複数の収納ポケットと、ファスナー部材を有する少なくとも一つの接続テープとを有する板状腰サポーターと、
一端が前記板状腰サポーターに連結され他端が前記板状腰サポーターから延び、他端の内側面および外側面にファスナー部材を有し、妊婦の腰部を囲んで他端同士が相互に着脱可能に連結し、妊婦の下腹部の支えに用いられる二つのベルトからなる帯状サポーターと、
両端にファスナー部材を有し、妊婦の肩部に掛けられ一端が脇下を通して前記帯状サポーターに着脱可能に連結し、他端が脇下を通して前記板状腰サポーターの前記接続テープに着脱可能に連結する少なくとも一つの肩ベルトと、
を備えることを特徴とする妊婦用腹帯。
【請求項２】
前記ベルトの前記ファスナー部材は、面ファスナーであることを特徴とする請求項１に記載の妊婦用腹帯。
【請求項３】
前記板状腰サポーターの前記基板は、軟質シートまたは布製の遠赤外線布シートであることを特徴とする請求項１に記載の妊婦用腹帯。
【請求項４】
前記肩ベルトの両端の前記ファスナーは、面ファスナーであることを特徴とする請求項１に記載の妊婦用腹帯。
【請求項５】
前記接続テープと前記肩ベルトとは、一体に構成されることを特徴とする請求項１に記載の妊婦用腹帯。
【請求項６】
前記支持片は、細長い弾性部材であることを特徴とする請求項１に記載の妊婦用腹帯。
【考案の詳細な説明】
【技術分野】
【０００１】
本考案は、妊婦用腹帯に関する。
【背景技術】
【０００２】
妊婦が妊娠中に腰痛や背部の痛みを感じる原因は姿勢の変化にある。特に妊娠中期および後期に腰椎が変形し、猫背になり、胎位が低くなることが原因で腰部および背部の痛み、手の痺れおよび早期出産を引き起こす可能性がある。
従来の妊婦用腹帯は、妊婦の腹部の重みおよび負担を緩和し、妊婦の身体が不自然に後に傾く姿勢を避け、腰部および背部の痛みを減少させることができる。
【考案の概要】
【考案が解決しようとする課題】
【０００３】
しかしながら、従来の妊婦用腹帯は腰部を支えるように設計されなかったため、腹部を支える機能しか提供できない。妊婦は、腹部の重さを支えるために腰部および脊椎に頼る必要がある。従って、従来の妊婦用腹帯は妊婦の腰部の負担を効果的に軽減することができない。また従来の妊婦用腹帯は長さが一定であり、ユーザーの需要に応じて調整することができないため、不便である。
【０００４】
本考案は、このような点に鑑みて創作されたものであり、妊婦の下腹部を支えることで猫背を抑制し腰痛を軽減することができる妊婦用腹帯を提供することを目的とする。
【課題を解決するための手段】
【０００５】
上述の目的を達成するために、本考案による妊婦用腹帯は、帯状サポーター、板状腰サポーターおよび少なくとも一つの肩ベルトを備える。
板状腰サポーターは、布生地で覆われた基板と、基板に配置された複数の支持片と、基板の外側面に配置された複数の接続テープとを有する。板状腰サポーターは、使用の際に妊婦の下背部に密着し、基板上の支持片によって板状腰サポーターの形を保ちつつ腰椎を支持し、接続テープによって肩ベルトを固定する。
【０００６】
帯状サポーターは、板状腰サポーターの両側に連結される二つのベルトからなる。上記ベルトは、一端が板状腰サポーターに連結され他端が板状腰サポーターから延び、他端の内側面および外側面にファスナー部材を有する。帯状サポーターは二つのベルトを相互に連結させて妊婦の下腹部を支え、二つのベルトと板状腰サポーターとが相互に前後を支持することによって第一支持力を提供する。
【０００７】
肩ベルトは、妊婦の肩に掛けられた状態で一端がベルトに連結し、他端が板状腰サポートに連結する。帯状ベルトおよび板状腰サポーターは妊婦の下腹部および下背部に位置し、肩ベルトは帯状サポーターの下腹部を支える力を増強する第二支持力を提供するため、妊婦の腰痛および不快感を緩和することができる。肩ベルトの長さを調整できるように設計することによって各サポーターの位置および支えの具合を最適の状態に調整することができる。
【図面の簡単な説明】
【０００８】
【図１】本考案の一実施形態による妊婦用腹帯を示す分解斜視図である。
【図２】本考案の一実施形態による妊婦用腹帯を着用した状態を示す正面図である。
【図３】本考案の一実施形態による妊婦用腹帯を着用した状態を示す背面図である。
【図４】本考案の一実施形態による妊婦用腹帯の着用方法を示す模式図である。
【図５】本考案の一実施形態による妊婦用腹帯の支える方法を示す模式図である。
【図６】本考案の一実施形態による妊婦用腹帯の調整方法を示す模式図である。
【図７】本考案の一実施形態による妊婦用腹帯においての肩ベルトの別の着用方法を示す模式図である。
【考案を実施するための形態】
【０００９】
以下、本考案による妊婦用腹帯を図面に基づいて説明する。
（第１実施形態）
図１に示したのは本考案の第１実施形態による妊婦用腹帯である。本考案による妊婦用腹帯は、板状腰サポーター４、帯状サポーター２、および、二つの肩ベルト３を備える。
【００１０】
板状腰サポーター４は、布生地から覆われた基板４０と、支持片４１を収納できるように基板４０の外側面に固定された複数の収納ポケット４００と、基板４０の外側面に固着された接続テープ４３、４４とを有する。接続テープ４３、４４は支持片４１に被さり、ファスナー部材を有する。上記ファスナー部材は、面ファスナー、スナップファスナーまたはボタンなどである。本実施形態では面ファスナーが採用され、接続テープ４３、４４はループ面４２を有する。基板４０は、例えば軟質シートまたは布製の遠赤外線布シートである。支持片４１は、例えば細長い弾性部材である。板状腰サポーター４は、帯状サポーター２および肩ベルト３と組み合わせて使用する。
【００１１】
帯状サポーター２は、板状腰サポーター４の両側に連結する二つのベルト２０、２１からなり、背部に位置する板状腰サポーター４の両側から前側すなわち腹部側に延びる。ベルト２０、２１は、前端の内側面、外側面にファスナー部材を有する。上記ファスナー部材は、面ファスナー、スナップファスナーまたはボタンなどである。本実施形態では面ファスナーが採用され、ベルト２０、２１の前端の内側面はフック面を有し、ベルト２０、２１の外側面はループ面を有する。一組目の面ファスナーは、ベルト２０の前端の内側面のフック面２２と、ベルト２１の外側面のループ面２０１とから構成される。また、二組目の面ファスナーは、ベルト２１の前端の内側面のフック面（図示せず）と、ベルト２０の外側面のループ面（図示せず）とから構成される。ベルト２０、２１の外側面のループ面２０１は、肩ベルト３との連結にも用いる。
【００１２】
肩ベルト３は、細長く形状され、両端にファスナー部材を有する。上記ファスナー部材は、面ファスナー、スナップファスナーまたはボタンなどである。本実施形態では面ファスナーが採用され、肩ベルト３は、両端にフック面３００、３０１を有する。肩ベルト３の一端のフック面３００は、板状腰サポーター４の接続テープ４３、４４のループ面４２との結合に用いられる。肩ベルト３の他端のフック面３０１は、ベルト２０、２１のループ面２０１との結合に用いられる。また、肩ベルト３は、肩ベルト３の長さおよび緩みの調整に用いる調整リング３０を有する。
【００１３】
図２から図４に示すように、本考案による妊婦用腹帯を着用する際、先ず板状腰サポーター４を妊婦５の下背部に密着させる。続いてベルト２０、２１を板状腰サポーター４から妊婦５の下腹部５０まで巻き、かつフック面２２とループ面２０１とを結合させる。これによりベルト２０、２１が妊婦５の下腹部５０を支える。このときベルト２０、２１および板状腰サポーター４は、それぞれ妊婦５の下腹部５０および下背部に位置し、それら下腹部５０および下背部をサポートするように作用する第一支持力を提供する。これにより妊娠中期の妊婦の着用に応じることができる。また妊婦５の腹部の大きさの変化に応じベルト２０、２１の結合位置を調整することによって、下腹部５０を支える力を妊婦５の最も快適な具合まで調整することができ、下腹部５０の締め付け過ぎによる不快感を減少させることができる。
【００１４】
妊婦が妊娠後期に入る際、一方の肩ベルト３の一端のフック面３０１と妊婦５の下腹部に位置するベルト２０、２１の外側のループ面２０１とを結合させ、肩ベルト３の他端を妊婦５の一方の脇下から引っ張り、妊婦５の背部に沿って上に伸ばし、肩に掛けた後、他方の脇下を通して図３および図４に示すように他端のフック面３００と板状腰サポーター４のループ面４２とを結合させれば、肩ベルト３の連結が完成する。これにより妊娠後期の妊婦の着用に応じることができる。また同じように他方の肩ベルト３を一方の肩ベルト３に対し左右対称になるようにベルト２０、２１の外側のループ面２０１と板状腰サポーター４のループ面４２とに結合させれば、図２および図３に示すように肩ベルト３が重なるＣ字型になる。このとき、肩ベルト３は、妊婦５を囲み、背部および腰部を自然に伸ばすように作用する第二支持力を提供する。図５に示すように肩ベルト３の持ち上がる力および板状腰サポーター４の支持力を介してサポーター２の上にサポートする力および腰部の支持力を増強することによって妊婦の脊椎および腹部の負担を軽減することができる。
【００１５】
妊婦の腹部を支える最適の効果を提供するために、ベルト２０、２１の結合位置を調整し、調整リング３０によって肩ベルト３の長さを調整するほかに、図６に示すように、肩ベルト３の先端と板状腰サポーター４の接続テープ４３との結合位置を微調整することによって、ベルト２０、２１により腹部をサポートする力を妊婦の需要および出産までの着用に応じて変化させ、快適な装着効果を果たすことができる。
【００１６】
図７に示すように、肩ベルト３の別の着用方法は、一方の肩ベルト３の先端とベルト２０、２１のループ面２０１とを直接結合し、他方の肩ベルト３の先端で妊婦５の腹部および板状腰サポーター４を囲み、そののち他側の腰部から二つの肩ベルト３の先端を妊婦５の上腹部に相互に位置及び連結させ、妊婦５の腹部を固定する効果を果たすことである。
【００１７】
本考案の他の実施形態では、接続テープと肩ベルトとが一体に構成されてもよい。
【符号の説明】
【００１８】
２    ：帯状サポーター
２０  ：ベルト
２０１：ループ面
２１  ：ベルト
２２  ：フック面
３    ：肩ベルト
３０  ：調整リング
３００：フック面
３０１：フック面
４    ：板状腰サポーター
４０  ：基板
４００：収納ポケット
４１  ：支持片
４２  ：ループ面
４３  ：接続テープ
４４  ：接続テープ
５    ：妊婦
５０  ：下腹部
【図１】
0003171923.tif 000003
【図２】
0003171923.tif 000004
【図３】
0003171923.tif 000005
【図４】
0003171923.tif 000006
【図５】
0003171923.tif 000007
【図６】
0003171923.tif 000008
【図７】
0003171923.tif 000009